(57)【要約】      （修正有）【課題】  パンフレット類陳列スタンドに、収納陳列するパンフレット類を、変形や汚損などから保護し、良く見えて目立ち、取り出しを促進するパンフレット類陳列スタンド用の、パンフレット類収納フォルダーを提供する。【解決手段】  少なくとも合成樹脂製で透明な表面体０２と、紙製または合成樹脂製の裏面体０３とを一体に構成してなり、表面体０２の開放端側Ａより突出し、見出し表示部０４として利用される、裏面体０３の開放端側Ｂまでの突出部分を設けてなる、裏面体０３が開閉可能なものであって、表面体０２と、被収納パンフレット類を保持するに充分な強度を持つ、裏面体０３により、表と裏から挟むようにサンドイッチ状態に被収納パンフレット等を保持する、パンフレット類陳列スタンド用のパンフレット類収納フォルダーに関するものである。【選択図】    図１
2005058680.tif 000002
【特許請求の範囲】
【請求項１】
図１に示される、パンフレット類陳列スタンド用のパンフレット類収納フォルダー本体０１が、被収納パンフレット類を透視できる合成樹脂製の透明シート表面体０２と、紙製または合成樹脂製で被収納パンフレット類を保持するに充分な強度を持つ裏面体０３との間に、被収納パンフレット類の数量に合わせ底襠部１４の折り曲げ溝部１１を調整してサンドイッチ状に挟み、被収納パンフレット類を変形や汚損から保護した状態で、前記陳列スタンドのラック部分に、収納陳列できるように構成された、パンフレット類陳列スタンド用のパンフレット類を保護収納するフォルダー。
【請求項２】
図１ならびに図２に示される、表面体０２の開放端Ａより突出して、裏面体０３に設けられた、見出し表示部０４に、収納パンフレット類の内容要約やアイキャッチ、また広告文やタイトルなどを表記し、被収納パンフレット類の取り出し利用を促進することを特徴とした、請求項１記載のパンフレット類陳列スタンド用のパンフレット類を保護収納するフォルダー。
【請求項３】
表面体０２と裏面体０３の２面からなる、パンフレット類陳列スタンド用のパンフレット類収納フォルダー本体０１の、表面体０２が透明なシートからなるとともに、他方の裏面体０３は、図１に示される湾曲押出片部０６が、切り込み部０７から、湾曲押出片部０６を起こし湾曲させ、被収納パンフレット類を表面体０２側に押出す効果が得られることを特徴とした、請求項１記載のパンフレット類陳列スタンド用のパンフレット類を保護収納するフォルダー。
【発明の詳細な説明】
【技術分野】
【０００１】  本発明はパンフレット類陳列スタンド（以下、単に陳列スタンドという）用のパンフレット類収納フォルダーに係り、更に詳しくは、前記陳列スタンドの、ラック部分に収納されるパンフレット類を、変形や汚損から保持し、被収納パンフレット類の広告訴求効果を高める、前記の陳列スタンド用のパンフレット類を保護収納するフォルダー（以下、単にパンフレット類収納フォルダーという）に関するものである。
【背景技術】
【０００２】  従来のパンフレット類陳列スタンドは、主にワイヤーラック部分だけで、被収納パンフレット類を支えるため、被収納パンフレット類の変形や汚損が生じ易く、変形し縮み曲がったパンフレット類は取り出し難く、一般的には市販のプラステックケースやクリアファイルなどを利用して、被収納パンフレット類の変形や汚損の防止に努めているのが現状で、プラステックケースやクリアファイルなどは、本来は室内で使用する事務用品のため、屋外での使用は想定されておらず、日照や風塵また路面への落下等で、それ自体の破損や変形また汚損も生じやすく、使用者の期待する効果を損なうことも多く、前記陳列スタンドに収納された、パンフレット類を見やすく透視でき、変形や汚損また風麈などから守り、且つ内容やタイトルが解り易く表示され、被収納パンフレット類の取り出し利用を促進する、陳列スタンド用のパンフレット類収納フォルダーがなかった。
【発明の開示】
【発明が解決しょうとする課題】
【０００３】  パンフレット類陳列スタンドに、収納陳列するパンフレット類を、変形や汚損などから保護し、前記陳列スタンドの各ラックに収納されるパンフレット類が良く見えて目立ち、パンフレット類を利用者が取り出しやすく保持し取り出しを促進する、前記陳列スタンド用のパンフレット類収納フォルダーがない。
【０００４】  本発明は、このような不都合に着目して案出されたもので、その目的は、図１に示される、合成樹脂製で透明な被収納パンフレット類が良く見える表面体０２と、裏面体０３により収納されたパンフレット類を、表と裏から挟むようにサンドイッチ状に保持する構成を具備してなる、パンフレット等陳列スタンド用のパンフレット類収納フォルダー本体０１を提供することにある。
【０００５】  また、裏面体０３は、パンフレット類を保持するに充分な強度の紙製または合成樹脂製でなり、図１に示される、裏面体０３に切り込み加工された切り込み部０７から、湾曲押出片部０６を起こし、差込み頭部１０を差込み溝０８に差込み、湾曲押出片部０６を表面体０２の方向に湾曲突出させ、被収納パンフレット類を裏面体０３から表面体０２の方向に押しやる事で、被収納パンフレット類の変形を防止し、利用者から被収納良く見えて取り出し易いパンフレット類の収納環境を提供すること。
【０００６】  また、底襠部１４の折り曲げ溝部１１に複数の折り曲げ溝を設け、収納されるパンフレット類の数量に合わせて調整できる、最適の折幅を提供すること。
【０００７】  また、パンフレット類陳列スタンドの、各ラック等に収納されたパンフレット類は、色彩やデザインや体裁が似かよっているが、各ラック間での被収納パンフレット類を、利用者が容易に識別できる、被収納パンフレットを印象付ける見出しを提供すること。
【０００８】  また、各ラックに収納陳列されたパンフレット類は、変形や汚損を生じ易く、ラックに収納陳列された後に、告知訴求や販促効果をあげるために、各ラック間でパンフレット類を移動すると、さらにパンフレット類を変形や汚損することとなるが、被収納パンフレット類を変形や汚損することなく、各ラック間の被収納パンフレツ類の移動を容易にする、パンフレット類フォルダーを提供すること。
【課題を解決するための手段】
【０００９】  すなわち、第一発明は、図１に示される、少なくとも合成樹脂製で透明な被収納パンフレット類が良く見える表面体０２と、紙製または合成樹脂製の裏面体０３とを一体に構成してなる、パンフレット等を収納するフォルダー本体０１を具備してなり、前記の合成樹脂製透明シールによる表面体０２と、表面体０２の開放端側Ａより突出し、見出し表示部０４として利用される、裏面体０３の開放端側Ｂまでの突出部分を設けてなる、紙製または合成樹脂製の裏面体０３が開閉可能なものであって、収納されるパンフレット類の確認が容易な、透明の合成樹脂製シートでなる表面体０２と、被収納パンフレット類を保持するに充分な強度を持つ、紙製または合成樹脂製の裏面体０３により、表と裏から挟むようにサンドイッチ状態に被収納パンフレット等を保持する事で、被収納パンフレット類を変形や汚損から保護し、且つ前記陳列スタンドの、広告宣伝や販売促進などの訴求効果を高めることを特徴とする、パンフレット類陳列スタンド用のパンフレット類収納フォルダーに関するものである。
【００１０】  また、第二発明は、図１に示される、合成樹脂製の透明で被収納パンフレット類が良く見える表面体０２と、被収納パンフレット類を保持するに充分な強度の、紙製または合成樹脂製の裏面体０３により、被収納パンフレット類を、表と裏からサンドイッチ状に挟み保持する事で、被収納パンフレット類の表記内容が良く見えるだけでなく、変形や汚損の防止が可能となる。
【００１１】  また、第三発明は、図１に示される、裏面体０３に切り込み加工された切り込み部０７から、湾曲押出片部０６を起こし、差込み頭部１０を差込み溝０８に差込み、湾曲押出片部０６が、表面体０２方向に湾曲突出する事で、被収納パンフレット類を裏面体０３から表面体０２方向に押し出すことが可能となる。
【００１２】  また、第四発明は、図１に示される、底襠部１４の折り曲げ溝部１１に、複数の折り曲げ溝を設ける事で、被収納パンフレット類の数量に合わせた、最適の折幅や厚みを得ることが可能となる。
【００１３】  また、第五発明は、図１に示される、裏面体０３の上部は表面体０２より突出して、見出し表示部０４が設けられ、利用者に被収納パンフレット類の取り出しを促すような、アイキャッチや広告文やタイトルなどを、自由にレイアウトし表記できるため、被収納パンフレット類を目立たせることが可能となる。
【発明の効果】
【００１４】  以上説明したように、本発明は、従来のパンフレット類陳列スタンドが、ラック部分だけで被収納パンフレット類を支えるため生じていた、パンフレット類の変形や汚損、また変形による収納パンフレット類の取り出しにくさや、汚損によるパンフレット類の廃棄などの無駄を無くし、常に見やすく取り出しやすく前記パンフレット類を保持して、パンフレット類の取り出し効果を高められる利点がある。
【００１５】  このような構成のもとにおいて、本実施の形態では、図２に示されるように、陳列すパンフレット類を、表面体０２と裏面体０３の間に挟むように収納することで、パンフレット等陳列スタンドのパンフレット類収納ラックなどに、被収納パンフレット類を変形や汚損から保護した状態で陳列することが可能となる。
【００１６】  さらに、透明な合成樹脂製のシートで形成された表面体０２は、図２に示すように、収納されたパンフレット類を変形や汚損から保護し、且つ被収納パンフレット類を見やすく保持し、主に店頭にて広告宣伝や販売促進の目的で設置される、パンフレット類陳列スタンドの美観保護も可能となる。
【００１７】  また、図１ならびに図２に示される見出し表示部０４に、前記パンフレット類の収納フォルダーに収納陳列された、パンフレット類のカテゴリーやタイトルまた内容等を表記でき、被収納パンフレット類の視認向上や取り出し利用を促進することが可能となる。
【００１８】  図１に示す、湾曲押出片部０６を、切り込み部０７にそって裏面体０３から起こし、差込み溝０８に差込み頭部１０を差込み、湾曲させることで、裏面体０３から表面体０２の方向へ押し出す力が生じ、本発明のパンフレット類陳列スタンド用のパンフレット類収納フォルダーに、収納されたパンフレット類は途中から折れ曲がったりする変形から守られ、また底襠部１４の折り曲げ溝部１１も同様に、被収納パンフレット類の数量に合わせ調整することで、変形や汚損から被収納パンフレット類を保護して、また常に被収納パンフレット類を取り出し易い状態に保持することが可能となる。
【００１９】  また、パンフレット類がフォルダー本体０１に収納されているため、パンフレット類陳列スタンドの各ラック間の入れ替えや移動が容易で、パンフレット類の取り出し利用者の、通行状況や時間帯や曜日別の通行人数や客層に応じて、適時にパンフレット類を入れ替え移動することで、被収納パンフレット類の訴求を活性化でき、パンフレット類の取り出し利用者の想定目的に合わせた、注目視認や取り出し利用の喚起を、常時容易に図ることが出来るようになる。
【００２０】  また、本発明の前記フォルダー０１の、裏面体０３が表面体０２より突出するため、その突出部分を見出し表示部０４と設定する事で、収納パンフレット類のタイトルや見出しの表記が可能となるため、被収納パンフレット類のアイキャッチ効果やキャッチコピーの訴求を高められる効果がある。
【発明を実施するための最良の形態】
【００２１】  この発明の一実施形態を、図１と図２に示す。
図１には、本発明の実施例に関する、パンフレット等収納陳列スタンド用、パンフレット類の収納フォルダー本体０１の概略斜視図が示され、図２には、前期陳列スタンド用の、パンフレット類収納フォルダーを使用した状態の、概略斜視図が示されている。【００２２】「実施形態の効果」
本実施の形態では、図１に示すように、前記陳列スタンド用のパンフレット類収納フォルダー本体０１は、合成樹脂製の透明で被収納パンフレットが良く見える表面体０２と、被収納パンフレット類を保持するに充分な強度の、紙製または合成樹脂製の裏面体０３により、接合重合部１３を設けて形成し、圧着または接着剤や接着テープにより、接合または重合して一体化する。【００２３】「他の実施形態」
また、本発明により、被収納パンフレット類を変形や汚損から保護するだけでなく、パンフレット類陳列スタンドの各ラック間の、被収納パンフレット類の移動が容易となる。【００２４】「他の実施形態」
図示しないが、本発明のパンフレット類陳列スタンド用のパンフレット収納フォルダー本体０１の、表面体０２や見出し表示部０４に、季節や期間や対象を限って実施する、キャンペーンや特典メリットやプレゼントなどを告知し、アイキャッチの役目も果たす、シールやポップやその他の表示用具などを合わせて使用する事で、さらに被収納パンフレット類の取り出し利用を促進し、広告販促効果を高めることが出来る。
【図面の簡単な説明】
【００２５】
【図１】本発明の一実施の形態を示す全体斜視図。
【図２】本発明がパンフレット類を収納した、使用状態を示す全体斜視図。
【符号の説明】
【００２６】０１  パンフレット類収納フォルダー本体
０２  表面体（表側の透明シート）
０３  裏面体（表側の紙製または合成樹脂製のシート）
０４  見出し表示部
０５  湾曲差込片の支点部
０６  湾曲押出片部
０７  切り込み部
０８  差込み溝部
０９  差込み止め部
１０  差込み頭部
１１  折り曲げ溝部
１２  折り曲げ部
１３  接合重合部底部
１４  底襠部
Ａ  表面体の開放端
Ｂ  裏面体の開放端
Ｃ  被収納パンフレット類
Ｄ  被収納パンフレット類（透明シート表面体０２から、透視した被収納パンフレット類）
【図１】
2005058680.tif 000003
【図２】
2005058680.tif 000004